(57)【要約】【課題】  ＴＤＭＡ／ＴＤＤ方式の無線通信において、移動する他の装置と無線通信装置との間における通信品質が低下することを低減する通信方法及び無線通信装置を提供する。【解決手段】  本発明に係る通信方法は、複数の端末との無線通信において時分割多元接続／時分割複信方式を使用し、上り信号に基づいて下り信号を制御する基地局における通信方法であって、前記無線通信時における前記端末の使用状態に応じた情報を取得するステップと、前記上り信号の伝送期間である上りタイムスロット及び前記下り信号の伝送期間である下りタイムロットを前記端末に割り当てるステップとを備え、前記割り当てるステップでは、前記取得された情報に基づいて前記複数の他の装置について順番を定め、当該順番に基づいて前記上りタイムスロットから前記下りタイムスロットまでの間隔を設定する。【選択図】図４
2008011496.tif 000002
【特許請求の範囲】
【請求項１】
複数の他の装置との無線通信において時分割多元接続／時分割複信方式を使用し、上り信号に基づいて下り信号を制御する無線通信装置における通信方法であって、
前記無線通信時における前記他の装置の使用状態に応じた情報を取得するステップと、
前記上り信号の伝送期間である上りタイムスロット及び前記下り信号の伝送期間である下りタイムロットを前記他の装置に割り当てるステップとを備え、
前記割り当てるステップでは、前記取得された情報に基づいて前記複数の他の装置について順番を定め、当該順番に基づいて前記上りタイムスロットから前記下りタイムスロットまでの間隔を設定することを特徴とする通信方法。
【請求項２】
前記他の装置の使用状態に応じた情報は、前記他の装置の移動の大きさである移動度を示す情報であり、
前記割り当てるステップでは、前記移動度が高い順番の他の装置ほど、前記間隔を短く設定することを特徴とする請求項１に記載の通信方法。
【請求項３】
前記無線通信の通信品質を取得するステップを更に備え、
前記割り当てるステップでは、前記移動度が等しい他の装置が複数存在する場合、前記通信品質が低い他の装置ほど、前記間隔を短く設定することを特徴とする請求項２に記載の通信方法。
【請求項４】
前記無線通信装置は、複数のアンテナ素子を備えたアダプティブアレイアンテナを有し、
前記移動度は、前記無線通信において、前記アンテナ素子で送受信される信号に対する重み係数に基づいて算出されることを特徴とする請求項２に記載の通信方法。
【請求項５】
前記他の装置の使用状態に応じた情報は、前記他の装置によって実行される通信の種別に応じた通信優先度を示す情報であり、
前記割り当てるステップでは、前記通信優先度が高い順番の他の装置ほど、前記間隔を短く設定することを特徴とする請求項１に記載の通信方法。
【請求項６】
前記無線通信の通信品質を取得するステップを更に備え、
前記割り当てるステップでは、前記通信優先度が等しい他の装置が複数存在する場合、前記通信品質が低い他の装置ほど、前記間隔を短く設定することを特徴とする請求項５に記載の通信方法。
【請求項７】
前記他の装置の使用状態に応じた情報は、前記無線通信の通信品質を示す情報であり、
前記割り当てるステップでは、前記通信品質が低い順番の他の装置ほど、前記間隔を短く設定することを特徴とする請求項１に記載の通信方法。
【請求項８】
複数の他の装置との無線通信において時分割多元接続／時分割複信方式を使用し、上り信号に基づいて下り信号を制御する無線通信装置であって、
前記無線通信時における前記他の装置の使用状態に応じた情報を取得する取得部と、
前記上り信号の伝送期間である上りタイムスロット及び前記下り信号の伝送期間である下りタイムロットを前記他の装置に割り当てる割り当て部とを備え、
前記割り当て部は、前記取得された情報に基づいて前記複数の他の装置について順番を定め、当該順番に基づいて前記上りタイムスロットから前記下りタイムスロットまでの間隔を設定することを特徴とする無線通信装置。
【発明の詳細な説明】
【技術分野】
【０００１】
本発明は、複数の端末との無線通信において時分割多元接続／時分割複信方式を使用し、上りタイムスロットの信号に基づいて、下りタイムスロットの信号を制御する通信方法及び無線通信装置に関する。
【背景技術】
【０００２】
従来、様々な無線通信方式が提案されており、その一つに、ＰＨＳ等の無線通信システムで使用されている時分割多元接続／時分割複信（以下、ＴＤＭＡ／ＴＤＤ：Ｔｉｍｅ Ｄｉｖｉｓｉｏｎ Ｍｕｌｔｉｐｌｅ Ａｃｃｅｓｓ／Ｔｉｍｅ Ｄｉｖｉｓｉｏｎ Ｄｕｐｌｅｘ）方式がある（例えば、特許文献１参照）。
【０００３】
かかるＴＤＭＡ／ＴＤＤ方式の無線通信システムでは、一つのキャリアを、５ｍｓ毎のフレームに分割し、さらにそのフレームを、上り４つ、下り４つの時間幅が等しい８つのタイムスロットに分割している。そして、各端末に対して、上り下りのタイムスロットを一つづつ割り当てることで、基地局と端末との間で、通信チャネルが確立される。図１５には、端末１０ａ乃至１０ｂにタイムスロットを割り当てたフレーム構成の一例が示されている。図１５に示すように、ＴＤＭＡ／ＴＤＤ方式の無線通信システムでは、例えば、各端末１０ａ乃至１０ｂとの通信チャネルにおいて、上り下りタイムスロットの間隔をΔｔで、上りタイムスロットＵ＃１乃至Ｕ＃４と、下りタイムスロットＤ＃１乃至Ｄ＃４とを割り当てる。
【０００４】
一方、近年、上述した無線通信システムでは、複数のアンテナ素子を用いたアダプティブアレイ技術が適用されており、基地局が、受信した上りタイムスロットの信号に基づいて、送信する下りタイムスロットの信号に対して指向性制御を行っている。具体的に、基地局は、例えば、端末１０ａから受信した上りタイムスロットＵ＃１の信号に基づいて、各アンテナ素子に対する重み係数を算出する。そして、基地局は、端末１０ａに下りタイムスロットＤ＃１の信号を送信する際、算出した重み係数に基づいて、各アンテナ素子から出力される信号の振幅と位相とを調整し、端末１０ａに送信する信号の指向性制御を行っている。
【０００５】
上述した指向性制御により、ＴＤＭＡ／ＴＤＤ方式の無線通信システムでは、基地局が、特定の端末に対して、送信信号の強度や、受信信号の感度を高めつつ、他の端末に対して、送信信号の強度や、受信信号の感度を低下させて、相互干渉を低減し、各端末との間で安定した通信を行っている。
【特許文献１】特開平１０−２５７００９号公報
【発明の開示】
【発明が解決しようとする課題】
【０００６】
しかしながら、上述した無線通信システムにおいて、例えば、端末１が高速で移動する場合、基地局が、上りタイムスロットＵ＃１信号に基づいて、下りタイムスロットＤ＃１の指向性を制御しても、端末１０ａは、間隔Δｔの間に別の場所へ移動するため、当該下りタイムスロットＤ＃１における信号の指向性が適切でなくなる場合があった。その結果、例えば、端末１０ａの受信レベルが低減する等、基地局と端末との間における通信品質が、低下するという問題があった。
【０００７】
そこで、本発明は、このような状況に鑑みてなされたものであり、ＴＤＭＡ／ＴＤＤ方式の無線通信において、移動する他の装置と無線通信装置との間における通信品質が低下することを低減する通信方法及び無線通信装置を提供することを目的とする。
【課題を解決するための手段】
【０００８】
上述した問題を解決するため、本発明は、次のような特徴を有している。まず、本発明の第１の特徴は、複数の他の装置との無線通信において時分割多元接続／時分割複信方式を使用し、上り信号に基づいて下り信号を制御する無線通信装置における通信方法であって、前記無線通信時における前記他の装置の使用状態（例えば、移動状態や通信種別、電波環境）に応じた情報を取得するステップと、前記上り信号の伝送期間である上りタイムスロット及び前記下り信号の伝送期間である下りタイムロットを前記他の装置に割り当てるステップとを備え、前記割り当てるステップでは、前記取得された情報に基づいて前記複数の他の装置について順番を定め、当該順番に基づいて前記上りタイムスロットから前記下りタイムスロットまでの間隔を設定することを要旨とする。
【０００９】
このような通信方法によれば、無線通信時における他の装置の使用状態（例えば、移動状態や通信種別）に応じた情報に基づいて、上りタイムスロットから下りタイムスロットまでの間隔が設定される。これにより、上り下りのタイムスロット間隔を、他の装置に適した長さに適応的に設定することができる。
【００１０】
本発明の第２の特徴は、本発明の第１の特徴に係り、前記他の装置の使用状態に応じた情報は、前記他の装置の移動の大きさである移動度を示す情報であり、前記割り当てるステップでは、前記移動度が高い順番の他の装置ほど、前記間隔を短く設定することを要旨とする。
【００１１】
このような通信方法によれば、無線通信装置と他の装置との間の無線通信において、移動度が高い他の装置ほど、上りタイムスロットから下りタイムスロットまでの間隔が短くなるように、上り下りのタイムスロットを割り当てる。これにより、他の装置の移動前に受信した上りタイムスロットの信号に基づいて、例えば、他の装置用に指向性を制御した下りタイムスロットの信号を、他の装置が大きく移動する前に送信することが可能になり、他の装置との通信の品質が低下することを低減する。
【００１２】
本発明の第３の特徴は、本発明の第２の特徴に係り、前記無線通信の通信品質を取得するステップを更に備え、前記割り当てるステップでは、前記移動度が等しい他の装置が複数存在する場合、前記通信品質が低い他の装置ほど、前記間隔を短く設定することを要旨とする。
【００１３】
このような通信方法によれば、移動度が等しい複数の他の装置に対しては、通信品質が低い他の装置ほど、上りタイムスロットと下りタイムスロットとの間隔が短くなるように、上り下りのタイムスロットを割り当てるので、より安定した通信を行うことが可能になる。
【００１４】
本発明の第４の特徴は、本発明の第２の特徴に係り、前記無線通信装置は、複数のアンテナ素子を備えたアダプティブアレイアンテナを有し、前記移動度は、前記無線通信において、前記アンテナ素子で送受信される信号に対する重み係数に基づいて算出されることを要旨とする。
【００１５】
このような通信方法によれば、アンテナ素子で送受信される信号の重み係数から、他の装置の移動度を、より正確に取得する。
【００１６】
本発明の第５の特徴は、本発明の第１の特徴に係り、前記他の装置の使用状態に応じた情報は、前記他の装置によって実行される通信の種別に応じた通信優先度を示す情報であり、前記割り当てるステップでは、前記通信優先度が高い順番の他の装置ほど、前記間隔を短く設定することを要旨とする。
【００１７】
このような通信方法によれば、無線通信装置と他の装置との間の無線通信において、通信優先度（ＱｏＳ）が高い他の装置ほど、上りタイムスロットから下りタイムスロットまでの間隔が短くなるように、上り下りのタイムスロットを割り当てる。つまり、通信優先度（ＱｏＳ）が高い他の装置に対しては高速移動に対応可能な上り下りのタイムスロット間隔を割り当てておくことで、高品質な通信を維持する必要がある他の装置において通信の品質が低下することを低減することができる。
【００１８】
本発明の第６の特徴は、本発明の第５の特徴に係り、前記無線通信の通信品質を取得するステップを更に備え、前記割り当てるステップでは、前記通信優先度が等しい他の装置が複数存在する場合、前記通信品質が低い他の装置ほど、前記間隔を短く設定することを要旨とする。
【００１９】
このような通信方法によれば、通信優先度（ＱｏＳ）が等しい複数の他の装置に対しては、通信品質が低い他の装置ほど、上りタイムスロットと下りタイムスロットとの間隔が短くなるように、上り下りのタイムスロットを割り当てるので、より安定した通信を行うことが可能になる。
【００２０】
本発明の第７の特徴は、本発明の第１の特徴に係り、前記他の装置の使用状態に応じた情報は、前記無線通信の通信品質を示す情報であり、前記割り当てるステップでは、前記通信品質が低い順番の他の装置ほど、前記間隔を短く設定することを要旨とする。
【００２１】
このような通信方法によれば、無線通信装置と他の装置との間の無線通信において、通信品質（例えばＦＥＲ）が低い他の装置ほど、上りタイムスロットから下りタイムスロットまでの間隔が短くなるように、上り下りのタイムスロットを割り当てる。通信品質の低い他の装置は高速移動中である可能性があるため、通信品質の低い他の装置に対して、高速移動に対応可能な上り下りのタイムスロット間隔を割り当てることで、通信品質が低下することを低減することができる。
【００２２】
本発明の第８の特徴は、複数の他の装置との無線通信において時分割多元接続／時分割複信方式を使用し、上り信号に基づいて下り信号を制御する無線通信装置であって、前記無線通信時における前記他の装置の使用状態に応じた情報を取得する取得部と、前記上り信号の伝送期間である上りタイムスロット及び前記下り信号の伝送期間である下りタイムロットを前記他の装置に割り当てる割り当て部とを備え、前記割り当て部は、前記取得された情報に基づいて前記複数の他の装置について順番を定め、当該順番に基づいて前記上りタイムスロットから前記下りタイムスロットまでの間隔を設定することを要旨とする。
【発明の効果】
【００２３】
本発明の特徴によれば、ＴＤＭＡ／ＴＤＤ方式の無線通信において、移動する他の装置と無線通信装置との間における通信品質が低下することを低減する通信方法及び無線通信装置を提供することができる。
【発明を実施するための最良の形態】
【００２４】
次に、本発明の実施形態について説明する。なお、以下の図面の記載において、同一または類似の部分には、同一または類似の符号を付している。ただし、図面は模式的なものであることに留意すべきである。
【００２５】
［第１実施形態］
図１の概略図に示すように、本実施形態では、基地局１００と、複数の端末１０ａ乃至１０ｂとの間で、無線通信が行われている場合を例に挙げて説明する。また、本実施形態では、基地局１００と端末１０ａ乃至１０ｂとの間において、ＰＨＳ等で採用されている時分割多元接続／時分割複信方式（以下、ＴＤＭＡ／ＴＤＤ方式）及び空間多重技術により、無線通信が行われている。
【００２６】
ここで、本実施形態では、上述したＴＤＭＡ／ＴＤＤ方式において、１フレームは、５ｍｓであり、又、当該１フレームが、４つの上りタイムスロットと４つの下りタイムスロットとにより、時間幅の等しい８つのタイムスロットで構成されている。なお、上りタイムスロットと下りタイムスロットとの間にはガードタイムを有している。また、かかるＴＤＭＡ／ＴＤＤ方式において、一つのタイムスロットは、空間多重により４つの信号を多重される。なお、上り及び下りのタイムスロット数と、空間多重される信号数とは、上述した数に限定されるものではない。また、本実施形態において、基地局１００は、無線通信システムに備えられているが、かかる無線通信システムにおいて、例えば、ネットワークやサーバ等の他の構成に関する説明を省略する。また、本実施形態において、端末１０ａ乃至１０ｂは、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。
【００２７】
また、本実施形態では、図１に示すように、端末１０ｂは、移動せず、ほぼ同じ位置に存在し、端末１０ａは、地点Ａにおいて、基地局１００との間で無線通信を開始し、通信  開始後、地点Ｂへ移動する場合を例に説明する。また、端末１０ａ乃至１０ｂは、基地局１００との間で無線通信を開始する際、基地局１００へ、通信チャネルの確立を要求するリンクチャネル確立要求を送信する。なお、端末１０ａ乃至１０ｂは、かかるリンクチャネル確立要求を、自端末の位置登録や、ハンドオーバ等を行う際に送信する。また、端末１０ａ乃至１０ｂは、基地局１００から、リンクチャネル割当を受信すると、当該リンクチャネル割当に含まれる上り及び下りのタイムスロットの番号と通信用周波数とに基づいて、基地局１００との間で同期バーストを送受信して同期確立し、基地局１００との間で通信を開始する。
【００２８】
（基地局１００の全体概略構成）
次に、本実施形態に係る基地局１００の構成について説明する。また、以下、本発明との関連がある部分について主に説明する。したがって、管理サーバ４０は、管理サーバ４０としての機能を実現する上で必須な、図示しない或いは説明を省略した機能ブロック（電源部など）を備える場合があることに留意されたい。
【００２９】
本実施形態に係る基地局１００は、複数の端末１０ａ乃至１０ｂとの無線通信において、上りタイムスロットの信号に基づいて、下りタイムスロットの信号を制御する。また、基地局１００は、複数のアンテナ素子を備えたアダプティブアレイアンテナを有し、各端末１０ａ乃至１０ｂに対して、無線信号の指向性を制御するアダプティブアレイ処理を実施する。具体的に、基地局１００は、図２に示すように、端末１０ａ乃至１０ｂとの間で無線通信する無線処理部２００と、各端末１０ａ乃至１０ｂとの間で送受信する信号の指向性を制御するアダプティブアレイ処理を行う信号処理部３００と、基地局１００内の各種機能を制御する制御部４００Ａとを具備する。
【００３０】
無線処理部２００は、アンテナ素子を有する第１無線部２０１乃至第４無線部２０４を備え、アダプティブアレイアンテナとして機能している。
【００３１】
第１無線部２０１乃至第４無線部２０４は、端末１０ａ乃至１０ｂから受信した無線信号にダウンコンバージョン等の変換を行い、変換した信号を信号処理部３００の各第１信号制御部３０１乃至第４信号制御部３０４（後述する）へ出力する。また、第１無線部２０１乃至第４無線部２０４は、信号処理部３００から入力した信号にアップコンバージョン等の変換を行い、端末１０ａ乃至１０ｂへ送信する。なお、第１無線部２０１乃至第４無線部２０４は、それぞれ同様に構成されている。
【００３２】
信号処理部３００は、第１無線部２０１乃至第４無線部２０４から出入力される各信号に対して重み付けし、第１無線部２０１乃至第４無線部２０４に指向性を制御した信号を送信させると共に、第１無線部２０１乃至第４無線部２０４から入力した信号の感度を高めるアダプティブアレイ処理を行う。具体的に、信号処理部３００は、第１信号制御部３０１乃至第４信号制御部３０４を備える。なお、第１信号制御部３０１乃至第４信号制御部３０４は、それぞれ同様に構成されているので、第１信号制御部３０１の構成について具体的に説明する。
【００３３】
第１信号制御部３０１は、図３に示すように、重み係数算出部３１０１と、受信信号用の乗算部３２０１乃至３２０４と、受信信号を合成する合成部３３０１と、送信信号を分離する分離部３４０１と、送信信号用の乗算部３５０１乃至３５０４とを備える。
【００３４】
重み係数算出部３１０１は、送信信号又は受信信号の重み係数ｗを算出する。ここで、重み係数ｗとは、受信信号及び送信信号に対して、振幅と位相とを調整するための係数である。また、かかる重み係数ｗには、端末１０ａ乃至１０ｂが移動すると、その値が変化する。
【００３５】
また、重み係数算出部３１０１は、第１無線部２０１乃至第４無線部２０４から出力された各信号に基づいて、信号毎の４つの重み係数ｗを算出し、算出した重み係数ｗを、乗算部３２０１乃至３２０４と、乗算部３５０１乃至３５０４とへ、それぞれ出力する。この時、重み係数算出部３１０１は、かかる重み係数ｗを、ユニークワード（ＵＷ：Ｕｎｉｑｕｅ  Ｗｏｒｄ）等のサンプル信号との誤差が最小となるように算出する。なお、重み係数算出部３１０１は、１フレーム内の端末１０ａ乃至１０ｂの上りタイムスロット毎に、上述した重み係数ｗを算出する。
【００３６】
また、重み係数算出部３１０１は、算出した４つの重み係数ｗの中で、例えば、第１無線部２０１から出力された信号に基づいて算出された一つの重み係数ｗを、制御部４００Ａの移動度取得部４０３（後述する。図４参照）へ通知する。なお、本実施形態では、端末１０ａ乃至１０ｂとの送受信信号が、第１信号制御部３０１に割り当てられている場合を例に説明する。よって、本実施形態において、端末１０ａ乃至１０ｂとの送受信信号における重み係数ｗは、第１信号制御部３０１から出力される。
【００３７】
乗算部３２０１乃至３２０４は、第１無線部２０１乃至第４無線部２０４から出力された各信号に対して、重み係数ｗで重み付けし、合成部３３０１へ出力する。また、合成部３３０１は、乗算部３２０１乃至３２０４から出力された各信号を合成し、制御部４００ＡのＴＤＭＡ分離処理部４０１（後述する。図４参照）へ出力する。
【００３８】
分離部３４０１は、制御部４００ＡのＴＤＭＡ多重処理部４０６（後述する。図４参照）から出力された信号を分離し、乗算部３５０１乃至３５０４へ出力する。また、乗算部３５０１乃至３５０４は、分離部３４０１から出力された信号に対して、重み係数ｗで重み付けし、各第１無線部２０１乃至第４無線部２０４へ出力する。
【００３９】
上述した重み係数算出部３１０１と、乗算部３２０１乃至３２０４と、合成部３３０１と分離部３４０１と、乗算部３５０１乃至３５０４との信号処理により、端末１０ａ乃至１０ｂとの無線通信時に、複数のアンテナ素子を備えたアダプティブアレイアンテナにおいて、同時に受信及び送信する信号に対する指向性制御が実施される。  
【００４０】
（制御部４００Ａの構成）
次に、制御部４００Ａの構成について具体的に説明する。制御部４００Ａは、端末１０ａ乃至１０ｂと基地局１００との間で通信する音声情報又はデータ情報の信号を、ＴＤＭＡ／ＴＤＤ方式により制御する。
【００４１】
また、制御部４００Ａは、無線処理部２００と信号処理部３００とを介して、端末１０ａ乃至１０ｂから、通信チャネルの確立を要求するリンクチャネル確立要求（ＬＣＨ確立要求と呼ばれる）を受信すると、送信元の端末１０ａ乃至１０ｂに対して、通信チャネル用の上りタイムスロット及び下りタイムスロットを割り当てる。
【００４２】
また、制御部４００Ａは、割り当てた上りタイムスロット及び下りタイムスロットのスロット番号と通信用周波数とを含むリンクチャネル割当を、無線処理部２００と信号処理部３００とを介して、リンクチャネル確立要求の送信元である端末１０ａ乃至１０ｂへ送信する。そして、この後、制御部４００Ａは、端末１０ａ乃至１０ｂとの間で同期バーストを送受信し、同期確立することで、端末１０ａ乃至１０ｂとの通信チャネルを確立する。なお、制御部４００Ａは、通信チャネルを確立するまでの各種通信を、コントロールチャネル（ＣＣＨと呼ばれる）を使用して実施する。
【００４３】
また、図４を参照し、本発明との関連がある各種機能について具体的に説明する。本実施形態に係る制御部４００Ａは、図４に示すように、ＴＤＭＡ分離処理部４０１と、記憶部４０２と、移動度取得部４０３と、通信品質取得部４０４と、タイムスロット割当部４０５と、ＴＤＭＡ多重処理部４０６とを具備する。
【００４４】
ＴＤＭＡ分離処理部４０１は、合成部３３０１からの信号を入力し、当該信号を復調すると共に、ＴＤＭＡ／ＴＤＤ方式により分離する。また、本実施形態に係るＴＤＭＡ分離処理部４０１は、端末１０ａ乃至１０ｂの間の通信における情報の誤り率を示すＦＥＲ（Ｆｒａｍｅ Ｅｒｒｏｒ Ｒａｔｅ）を算出し、通信品質取得部４０４へ通知する。なお、本実施形態では、かかる通信品質がＦＥＲである場合を例に説明するが、ＢＥＲ（Ｂｉｔ  Ｅｒｒｏｒ Ｒａｔｅ）等、他の通信品質を示す情報であってもよい。また、ＴＤＭＡ多重処理部４０６は、端末１０ａ乃至１０ｂへ送信する信号を変調すると共に、ＴＤＭＡ／ＴＤＤ方式により多重し、分離部３４０１へ出力する。
【００４５】
記憶部４０２は、移動度テーブルＴ１と、割当テーブルＴ２とを備える。移動度テーブルＴ１は、図５に示すように、端末１０ａ乃至１０ｂを識別する端末ＩＤと、当該端末１０ａ乃至１０ｂの移動度と、当該端末１０ａ乃至１０ｂとの間における通信品質とを関連付けて記憶する。ここで、移動度とは、端末１０ａ乃至１０ｂの移動する大きさを示す情報であり、後述する移動度取得部４０３によって格納される。また、通信品質とは、当該端末１０ａ乃至１０ｂとの間における無線通信の品質を示す情報であり、後述する通信品質取得部４０４によって格納される。
【００４６】
また、本実施形態において、端末１０ａの端末ＩＤを、ＵＥ１０ａとし、端末１０ｂの端末ＩＤをＵＥ１０ｂとして説明する。また、本実施形態では、端末１０ａ（ＵＥ１０ａ）に対応する移動度（ρｗ）を移動度ρｗ１とし、端末１０ｂ（ＵＥ１０ｂ）対応する移動度（ρｗ）を移動度ρｗ２として説明する。
【００４７】
割当テーブルＴ２は、図６に示すように、通信先の端末ＩＤと、当該端末ＩＤに対応する端末１０ａ乃至１０ｂに割り当てたタイムスロット番号とを関連付けて記憶する。
なお、本実施形態では、上りタイムスロット番号を時系列の順に、Ｕ＃１乃至Ｕ＃４とし、下りタイムスロット番号を時系列の順に、Ｄ＃１乃至Ｄ＃４として説明する。また、本実施形態では、空間多重されるスロット番号に関しては説明を省略している。
【００４８】
また、本実施形態では、従来技術のように、各端末１０ａ乃至１０ｂに割り当てられている上りタイムスロットと下りタイムスロットとの時系列上の順番は、対応していない。つまり、各端末１０ａ乃至１０ｂにおいて、上りタイムスロットから下りタイムスロットとの間隔Δｔは一定ではない。よって、上りタイムスロットから下りタイムスロットの間隔が、最も短くなるタイムスロットの組み合わせは、上りタイムスロット番号Ｕ＃４と、下りタイムスロットＤ＃１とである。また、最も長くなる組み合わせは、上りタイムスロットＵ＃１と、下りタイムスロットＤ＃４とである。
【００４９】
ここで、本実施形態において、上りタイムスロット番号Ｕ＃４及び下りタイムスロット番号Ｄ＃１を通信チャネルＣＨ１とし、上りタイムスロット番号Ｕ＃３及び下りタイムスロット番号Ｄ＃２を通信チャネルＣＨ２とし、上りタイムスロット番号Ｕ＃２及び下りタイムスロット番号Ｄ＃３を通信チャネルＣＨ３とし、上りタイムスロット番号Ｕ＃１及び下りタイムスロット番号Ｄ＃４を通信チャネルＣＨ４として以降説明する。
【００５０】
移動度取得部４０３は、端末１０ａ乃至１０ｂ毎に、移動の大きさを示す移動度を、端末１０ａ乃至１０ｂとの無線通信において、アンテナ素子で送受信される信号に対する重み係数に基づいて算出する。具体的には、移動度取得部４０３は、図７に示す重み係数テーブルＴ３を備えている。かかる重み係数テーブルＴ３は、端末ＩＤと、重み係数ｗとを関連付けて記憶する。ここで、端末１０ａ（ＵＥ１０ａ）に対応する重み係数ｗを重み係数ｗ１とし、端末１０ｂ（ＵＥ１０ｂ）対応する重み係数ｗを重み係数ｗ２として説明する。
【００５１】
また、移動度取得部４０３は、第１信号制御部３０１乃至第４信号制御部３０４の重み係数算出部から重み係数ｗが通知されると、通知された重み係数ｗと、当該重み係数ｗによって重み付けされる信号の送受信先である端末１０ａ乃至１０ｂの端末ＩＤとを関連付けて、当該重み係数テーブルＴ３に記憶する。
【００５２】
この時、移動度取得部４０３は、第１信号制御部３０１乃至第４信号制御部３０４から通知された４つの重み係数ｗの中で、端末１０ａ乃至１０ｂとの送受信信号が割り当てられている第１信号制御部３０１から通知された重み係数ｗを継続して取得し、重み係数テーブルＴ３に記憶する。
【００５３】
また、本実施形態では、重み係数テーブルＴ３に記憶される重み係数ｗのサンプル数が、今回通知された重み係数ｗ（ｎ）と、前回通知された重み係数ｗ（ｎ−１）と、前々回通知された重み係数ｗ（ｎ−２）との３つである場合を仮定している。そして、移動度取得部４０３は、重み係数テーブルＴ３への記憶を行うと、（１）式により、移動度（ρｗ）を算出する。
【００５４】
【数１】
2008011496.tif 000003
【００５５】
上述した（１）式は、今回通知された重み係数ｗと、過去（前回と前々回）に通知された重み係数ｗとの相関関係を示す相関値を算出する計算式であり、本実施形態では、かかる相関値を、移動度（ρｗ）として取得する。また、かかる移動度（ρｗ）は、値が小さいほど端末１０ａ乃至１０ｂの移動が大きい、つまり移動度が高いことを示している。このようにして、移動度取得部４０３は、端末ＩＤと、当該端末ＩＤに対応する端末１０ａ乃至１０ｂの移動度（ρｗ）とを関連付けて、移動度テーブルＴ１に記憶する。
【００５６】
なお、端末ＩＤ毎に記憶される重み係数ｗの数（サンプル数ｍ）は、３つである場合を例に説明するが、かかる数は３つに限定されるものではない。また、端末１０ａ乃至１０ｂが、自端末の存在する位置情報を検出するＧＰＳ等の位置検出機能を有し、当該位置情報を基地局１００に通知する場合、移動度取得部４０３は、通知された位置情報の相関関係または移動量に基づいて、かかる移動度を取得してもよい。
【００５７】
通信品質取得部４０４は、無線通信の通信品質を取得する。具体的に、通信品質取得部４０４は、ＴＤＭＡ分離処理部４０１からＦＥＲを通知されると、通知されたＦＥＲと、当該ＦＥＲに対応する端末１０ａ乃至１０ｂの端末ＩＤとを関連付けて、移動度テーブルＴ１に記憶する。また、本実施形態では、端末１０ａ（ＵＥ１０ａ）に対応する通信品質を通信品質Ｆ１とし、端末１０ｂ（ＵＥ１０ｂ）対応する通信品質を通信品質Ｆ２として説明する。
【００５８】
タイムスロット割当部４０５は、端末１０ａ乃至１０ｂとの間で使用される通信チャネルにおいて、取得した移動度（ρｗ）が高い端末１０ａ乃至１０ｂほど、上りタイムスロットから下りタイムスロットの間隔が短くなるように、上りタイムスロットと下りタイムスロットとを割り当てる。具体的に、タイムスロット割当部４０５は、移動度テーブルＴ１に記憶される移動度（ρｗ）及び通信品質が更新されると、端末ＩＤを移動度（ρｗ）の高い順（値が小さい順）に、順番を決定する。
【００５９】
そして、決定した順番が、決定前の順番と異なる場合、タイムスロット割当部４０５は、当該順番に基づいて、最も移動度（ρｗ）の大きい端末ＩＤから順に、上りタイムスロットから下りタイムスロットの間隔が短くなるように、通信チャネルＣＨ１（上りタイムスロット番号Ｕ＃４及び下りタイムスロット番号Ｄ＃１）、通信チャネルＣＨ２（上りタイムスロット番号Ｕ＃３及び下りタイムスロット番号Ｄ＃２）、通信チャネルＣＨ３（上りタイムスロット番号Ｕ＃２及び下りタイムスロット番号Ｄ＃３）、通信チャネルＣＨ４（上りタイムスロット番号Ｕ＃１及び下りタイムスロット番号Ｄ＃４）の順で、割り当てを変更する。
【００６０】
なお、タイムスロット割当部４０５は、決定した順番と決定前の順番とが同じ場合、かかる動作を行わない。また、この時、タイムスロット割当部４０５は、移動度（ρｗ）が等しい端末１０ａ乃至１０ｂが複数ある場合、移動度テーブルＴ１において、通信品質が低い端末１０ａ乃至１０ｂほど、上りタイムスロットから下りタイムスロットの間隔が短くなるように、通信チャネルＣＨ１乃至ＣＨ４（上りタイムスロット番号と下りタイムスロット番号）を割り当てる。また、基地局１００と通信する端末が一台の場合、タイムスロット割当部４０５は、当該端末に対して、通信チャネルＣＨ１のタイムスロットを割り当てる。
【００６１】
また、タイムスロット割当部４０５は、変更した通信チャネルＣＨ１乃至ＣＨ４の上りタイムスロット番号及び下りタイムスロット番号と、通信周波数とを含むリンクチャネル割当を、ＴＤＭＡ多重処理部４０６と信号処理部３００と無線処理部２００とを介して、変更した端末ＩＤに対応する端末１０ａ乃至１０ｂへ送信する。また、タイムスロット割当部４０５は、端末１０ａ乃至１０ｂとの通信チャネルＣＨ１乃至ＣＨ４を変更する度、変更した通信チャネルＣＨ１乃至ＣＨ４のタイムスロット番号をＴＤＭＡ分離処理部４０１及びＴＤＭＡ多重処理部４０６へ通知することで、ＴＤＭＡ／ＴＤＤ方式による送受信信号の多重及び分離を適切に実施させる。
【００６２】
（無線通信装置の動作）
次に、上述した基地局（無線通信装置）１００の動作について説明する。具体的には、（１）端末１０ａ乃至１０ｂとの無線通信におけるタイムスロット割り当て制御動作、及び（２）制御部４００Ａにおけるタイムスロット割り当て制御動作について説明する。なお、本実施形態では、端末１０ｂは、基地局１００との間で既に通信しながらほぼ同じ位置で移動を行わず、端末１０ａは、図１に示す地点Ａにおいて、基地局１００との間で通信を開始し、通信開始後、地点Ｂに向けて高速で移動する場合を例に説明する。
【００６３】
（１）端末１０ａ乃至１０ｂとの無線通信おけるタイムスロット割り当て制御動作
図８は、端末１０ｂとの間で既に通信する基地局１００が、端末１０ａとの間で、新たに通信を開始する際の動作を示すシーケンス図である。
【００６４】
ステップＳ１０１において、端末１０ａは、地点Ａで、例えば、位置登録を行うため、基地局１００に対して、リンクチャネル確立要求を送信する。
【００６５】
ステップＳ１０２において、基地局１００の制御部４００Ａは、端末１０ａから送信されたリンクチャネル確立要求を受信し、リンクチャネル割当を端末１０ａへ送信する。
【００６６】
ここで、基地局１００は、端末１０ｂとの通信において、通信チャネルＣＨ１を使用しているため、端末１０ａに対して、通信チャネルＣＨ２を割り当てると共に、当該通信チャネルＣＨ２の上りタイムスロット番号Ｕ＃３と下りタイムスロット番号Ｄ＃２とを含むリンクチャネル割当を端末１０ａへ送信する。
【００６７】
ステップＳ１０３において、端末１０ａは、リンクチャネル割当を受信し、同期バーストを基地局１００へ送信する。
【００６８】
ステップＳ１０４において、基地局１００は、端末１０ａからの同期バーストを受信すると共に、端末１０ａへ同期バーストを送信する。
【００６９】
ステップＳ１０５において、基地局１００と端末１０ａとの間で、同期確立され、通信が開始される。また、この時、端末１０ａは、地点Ｂに向けて高速で移動を開始する。
【００７０】
ステップＳ１０６において、基地局１００では、移動度テーブルＴ１において、端末１０ａ（ＵＥ１０ａ）の移動度ρｗ１が、端末１０ｂ（ＵＥ１０ｂ）の移動度ρｗ２よりも高くなる。そして、タイムスロット割当部４０５は、端末１０ａとの通信において、通信チャネルＣＨ２から通信チャネルＣＨ１（上りタイムスロット番号Ｕ＃４及び下りタイムスロット番号Ｄ＃１）を割り当て変更し、端末１０ｂとの通信において、通信チャネルＣＨ２（上りタイムスロット番号Ｕ＃３及び下りタイムスロット番号Ｄ＃２）に割り当て変更する。
【００７１】
ステップＳ１０７において、タイムスロット割当部４０５は、端末１０ａ乃至１０ｂに対して、リンクチャネル割当を送信する。なお、この後、基地局１００は、端末１０ａ乃至１０ｂに対して、同期バーストを送受信し、同期確立を行うが、かかる動作については説明を省略する。
【００７２】
（２）制御部４００Ａにおけるタイムスロット割り当て制御動作
図９は、上述したステップ１０６において、基地局１００の制御部４００Ａにおけるタイムスロット割り当て制御の動作を示すフローチャートである。
【００７３】
ステップＳ１０６１において、制御部４００Ａの移動度取得部４０３は、第１信号制御部３０１乃至第４信号制御部３０４の重み係数算出部から重み係数ｗが通知されると、通知された重み係数ｗと、当該重み係数ｗによって重み付けされる信号の送受信先である端末１０ａ乃至１０ｂの端末ＩＤとを関連付けて、当該重み係数テーブルＴ３に記憶する。ここで、移動度取得部４０３は、端末１０ａ（ＵＥ１０ａ）の重み係数ｗ１（ｎ）と、端末１０ｂ（ＵＥ１０ｂ）の重み係数ｗ２（ｎ）とを重み係数テーブルＴ３に記憶する。そして、移動度取得部４０３は、（１）式により、端末１０ａ乃至１０ｂの移動度（ρｗ１乃至ρｗ２）を算出し、端末ＩＤ（ＵＥ１０ａ乃至ＵＥ１０ｂ）と、当該端末ＩＤに対応する移動度（ρｗ１乃至ρｗ２）とを関連付けて、移動度テーブルＴ１に記憶する。この時、移動度テーブルＴ１に記憶される端末１０ｂの移動度ρｗ２よりも、端末１０ａの移動度ρｗ１が高くなっている（値が小さくなる）。
【００７４】
ステップＳ１０６２において、タイムスロット割当部４０５は、移動度テーブルＴ１に記憶される移動度ρｗ及び通信品質が更新されると、端末ＩＤ（ＵＥ１０ａ及びＵＥ１０ｂ）を移動度ρｗの高い順（値が小さい順）に、順番を決定する。そして、決定した順番が、決定前の順番と異なるか否かを判定する。
【００７５】
ステップＳ１０６３において、タイムスロット割当部４０５は、決定前の順番と異なると判定した場合、当該順番に基づいて、最も移動度の高い端末ＩＤから順に、上りタイムスロットから下りタイムスロットの間隔が短くなるように、端末１０ａの端末ＩＤ（ＵＥ１０ａ）に対して、通信チャネルＣＨ１（上りタイムスロット番号Ｕ＃４及び下りタイムスロット番号Ｄ＃１）を割り当て、端末１０ｂの端末ＩＤ（ＵＥ１０ｂ）に対して、通信チャネルＣＨ２（上りタイムスロット番号Ｕ＃３及び下りタイムスロット番号Ｄ＃２）を割り当てる。
【００７６】
なお、タイムスロット割当部４０５は、決定した順番と決定前の順番とが同じと判定した場合、動作を終了する。また、タイムスロット割当部４０５は、端末ＩＤ（ＵＥ１０ａ及びＵＥ１０ｂ）の移動度（ρｗ１及びρｗ２）が等しい場合、移動度テーブルＴ１において、通信品質（Ｆ１及びＦ２）が低い端末ＩＤ（ＵＥ１０ａ及びＵＥ１０ｂ）ほど、上りタイムスロットから下りタイムスロットの間隔が短くなるように、通信チャネルＣＨ１乃至ＣＨ２を割り当てる。
【００７７】
（作用・効果）
本実施形態に係る基地局１００によれば、タイムスロット割当部４０５は、基地局１００と端末１０ａ乃至１０ｂとの間の無線通信において、移動度が高い端末１０ａ乃至１０ｂほど、上りタイムスロットから下りタイムスロットへの間隔が短くなるように、通信チャネルの上り下りのタイムスロットを割り当てる。
【００７８】
図１０には、本実施形態に係る基地局１００が、端末１０ａ乃至１０ｂに対して、タイムスロットを割り当てたフレーム構成が示されている。図１０に示すように、移動する端末１０ａは、間隔Δｔ２の通信チャネルＣＨ２（上りタイムスロット番号Ｕ＃３と下りタイムスロットＤ＃２）から、間隔Δｔ２よりも狭い間隔Δｔ１の通信チャネル１（上りタイムスロットＵ＃４と下りタイムスロットＤ＃１）へ変更される。よって、本実施形態に係る基地局１００は、移動する端末１０ａとの間の無線通信において、当該端末１０ａから移動前に受信した上りタイムスロットの信号に基づいて、例えば、端末用に指向性を制御した下りタイムスロットの信号を、端末１０ａが大きく移動する前に送信することが可能になり、端末１０ａとの間における通信品質が低下することを低減できる。
【００７９】
また、本実施形態に係る基地局１００によれば、移動度取得部４０３は、基地局１００と端末１０ａ乃至１０ｂとの間の無線通信において、例えば、第１信号制御部３０１における第１無線部２０１に対する信号の重み係数ｗの相関値を、端末１０ａ乃至１０ｂの移動度（ρｗ）として算出する。よって、本実施形態に係る基地局１００によれば、端末１０ａ乃至１０ｂの移動度（ρｗ）をより正確に取得できる。
【００８０】
また、本実施形態に係る基地局１００によれば、タイムスロット割当部４０５は、移動度（ρｗ）が等しい複数の端末１０ａ乃至１０ｂに対しては、通信品質が低い端末ほど、上りタイムスロットから下りタイムスロットへの間隔が短くなるように、通信チャネル（上り下りのタイムスロット）を割り当てるので、移動により通信品質が低下した端末１０ａ乃至１０ｂとの間の無線通信において、より安定した通信を行うことが可能になる。
【００８１】
（第１変更例）
次に、上述した実施形態との相違点に着目し、第１変更例に係る基地局１００の構成について説明する。本変更例に係る基地局１００は、タイムスロット割当部４０５の構成を除き、上述した基地局１００の構成と同様である。よって、タイムスロット割当部４０５の構成について説明する。本変更例に係る基地局１００のタイムスロット割当部４０５は、予め定められた所定の閾値（ρＳＨ）を有しており、移動度テーブルＴ１に記憶される移動度（ρｗ）が、当該所定の閾値より小さく（移動度が高く）なる場合のみ、上述したステップＳ１０６２乃至Ｓ１０６３の動作を行う。
【００８２】
なお、移動度テーブルＴ１に記憶される移動度（ρｗ）が、当該所定の閾値より小さくならない（移動度が高くならない）場合、タイムスロット割当部４０５は、端末１０ａ乃至１０ｂに対して、従来技術で実施されていたように、間隔Δｔのタイムスロット（例えば、上りタイムスロットＵ＃１及び下りタイムスロットＤ＃１）を割り当てる。
【００８３】
本変更例に係る基地局１００によれば、移動度が所定の閾値よりも小さい（移動度が高い）端末１０ａ乃至１０ｂが存在する場合のみ、上り及び下りのタイムスロットの割り当てを変更するので、当該タイムスロットの割り当て頻度を、上述した実施形態に比べ低減できる。よって、本変更例に係る基地局１００によれば、通信チャネル（上り及び下りのタイムスロット）を割り当てる際の処理負荷を最低限に抑えつつ、移動度の高い端末１０ａ乃至１０ｂが存在する場合には、当該端末１０ａ乃至１０ｂとの間における通信品質が低下することを低減する。
【００８４】
（第２変更例）
次に、上述した実施形態との相違点に着目し、第２変更例に係る基地局１００の構成について説明する。本変更例に係る基地局１００は、ＴＤＭＡ分離処理部４０１と、通信品質取得部４０４と、タイムスロット割当部４０５との構成を除き、上述した基地局１００の構成と同様である。よって、本変更例に係るＴＤＭＡ分離処理部４０１と、通信品質取得部４０４と、タイムスロット割当部４０５との構成について説明する。
【００８５】
本変更例に係るＴＤＭＡ分離処理部４０１は、通信品質取得部４０４へ、端末１０ａ乃至１０ｂとの間で通信している情報の種類を通知する。具体的には、ＴＤＭＡ分離処理部４０１は、端末１０ａ乃至１０ｂとの間で通信している情報の種類として、例えば、リアルタイム性を必要とする音声情報等の通信を行っていることを示すリアルタイム情報や、リアルタイム性をあまり必要としないメール情報等の通信を行っていることを示す非リアルタイム情報を通知する。
【００８６】
また、本変更例に係る通信品質取得部４０４は、通知されたリアルタイム情報又は非リアルタイム情報と、通信先の端末１０ａ乃至１０ｂの端末ＩＤとを関連付けて、移動度テーブルＴ１に記憶する。
【００８７】
また、本変更例に係るタイムスロット割当部４０５は、端末ＩＤ（ＵＥ１０ａ及びＵＥ１０ｂ）の移動度（ρｗ１及びρｗ２）が等しい場合、移動度テーブルＴ１において、リアルタイム情報に関連付けて記憶されている端末ＩＤ（ＵＥ１０ａ及びＵＥ１０ｂ）ほど、上りタイムスロットから下りタイムスロットの間隔が短くなるように、通信チャネルＣＨ１乃至ＣＨ４（上り下りのタイムスロット）を割り当てる。
【００８８】
本変更例に係る基地局１００によれば、端末１０ａ乃至１０ｂとの間の無線通信において、移動する端末１０ａ乃至１０ｂの中でも、リアルタイム性を必要とする通信を行っている端末ほど、上りタイムスロットから下りタイムスロットへの間隔が短くなるように、通信チャネル（上り下りのタイムスロット）を割り当てるので、リアルタイム性を必要とする音声情報等の通信を行っている端末を優先して、より安定した通信サービルを提供することが可能になる。
【００８９】
［第２実施形態］
上述した第１実施形態では、移動度に応じて上り下りタイムスロット間隔を設定する一例について説明した。また、上述した第１実施形態の第２変更例では、移動度に加えて、通信優先度（ＱｏＳ）を考慮して上り下りタイムスロット間隔を設定する一例について説明した。
【００９０】
しかし、端末の移動度を取得する機能を有さない基地局では、上述した第１実施形態の手法が適用できない場合がある。一方、通信優先度（ＱｏＳ）は、端末が実行する通信の種別さえ判別できればよいので、既存の基地局の構成を大幅に変更することなく取得可能である。
【００９１】
そこで、本実施形態では、移動度ではなく、ＱｏＳに基づいて上り下りタイムスロット間隔を設定する一例について説明する。なお、本実施形態では、上述した第１実施形態と異なる点について主に説明し、重複する説明を省略する。
【００９２】
（制御部４００Ｂの構成）
本実施形態に係る制御部４００Ｂの構成について説明する。図１１は、制御部４００Ｂの構成を示す論理ブロック構成図である。
【００９３】
図１１に示すように、制御部４００Ｂは、上述した移動度取得部４０３に代えて、ＱｏＳ取得部４０７を備える。ＱｏＳ取得部４０７は、上述した第１実施形態の第２変更例に係るＴＤＭＡ分離処理部４０１と同様にして、端末１０ａ乃至１０ｂとの間で通信している情報の種類に応じたＱｏＳを取得する。この場合、ＱｏＳ取得部４０７は、通信の種別とＱｏＳとを対応付けたテーブルを使用する。
【００９４】
あるいは、ＱｏＳ取得部４０７は、上位装置（例えば、基地局制御装置）からＱｏＳの情報を取得してもよい。なお、上述した第１実施形態の第２変更例では、通信に要求されるリアルタイム性（遅延）を基準としていたが、リアルタイム性に限らず、通信に要求されるパケットロス率やジッタを基準としてもよい。
【００９５】
記憶部４０２は、ＱｏＳテーブルＴ４と、割当テーブルＴ２とを備える。ＱｏＳテーブルＴ４は、図１２に示すように、端末１０ａ乃至１０ｂを識別する端末ＩＤと、当該端末１０ａ乃至１０ｂのＱｏＳと、当該端末１０ａ乃至１０ｂとの間における通信品質とを関連付けて記憶する。ＱｏＳは、ＱｏＳ取得部４０７によって格納される。
【００９６】
（基地局１００の動作）
次に、本実施形態に係る基地局１００の動作について説明する。具体的には、（１）端末１０ａ乃至１０ｂとの無線通信におけるタイムスロット割り当て制御動作、及び（２）制御部４００Ｂにおけるタイムスロット割り当て制御動作について、第１実施形態との相違点を説明する。
【００９７】
（１）端末１０ａ乃至１０ｂとの無線通信おけるタイムスロット割り当て制御動作
図１３は、端末１０ｂとの間で既に通信する基地局１００が、端末１０ａとの間で、新たに通信を開始する際の動作を示すシーケンス図である。ここでは、端末１０ｂは、基地局１００との間でリアルタイム性の低い通信（例えばメールやＷｅｂ閲覧）を実行しており、端末１０ａは、基地局１００との間でリアルタイム性の高い通信（例えばＶｏＩＰ）を開始する場合を例に説明する。
【００９８】
ステップＳ２０１において、端末１０ａは、例えば、ＶｏＩＰを行うため、基地局１００に対して、リンクチャネル確立要求を送信する。ＱｏＳ取得部４０７は、端末１０ａがＶｏＩＰを行うことから、端末１０ａに対するＱｏＳ“高”を取得する。
【００９９】
ステップＳ２０２において、基地局１００では、ＱｏＳテーブルＴ４において、端末１０ａ（ＵＥ１０ａ）のＱｏＳ“高”が、端末１０ｂ（ＵＥ１０ｂ）のＱｏＳ“低”よりも高くなる。そして、タイムスロット割当部４０５は、端末１０ａとの通信において、通信チャネルＣＨ２から通信チャネルＣＨ１（上りタイムスロット番号Ｕ＃４及び下りタイムスロット番号Ｄ＃１）を割り当て変更し、端末１０ｂとの通信において、通信チャネルＣＨ２（上りタイムスロット番号Ｕ＃３及び下りタイムスロット番号Ｄ＃２）に割り当て変更する。
【０１００】
ステップＳ２０３において、基地局１００は、ステップＳ２０２で割り当てたチャネルを端末１０ａ乃至１０ｂに対して通知する。
【０１０１】
ステップＳ２０４乃至ステップＳ２０６は、図８のステップＳ１０３乃至ステップＳ１０５の動作と同様にして実行される。
【０１０２】
（２）制御部４００Ｂにおけるタイムスロット割り当て制御動作
図１４は、上述したステップ２０２において、基地局１００の制御部４００Ｂにおけるタイムスロット割り当て制御の動作を示すフローチャートである。
【０１０３】
ステップＳ２０２１において、制御部４００ＢのＱｏＳ取得部４０７は、端末ＩＤ（ＵＥ１０ａ乃至ＵＥ１０ｂ）と、当該端末ＩＤに対応するＱｏＳとを関連付けて、ＱｏＳテーブルＴ４に記憶する。
【０１０４】
ステップＳ２０２２において、タイムスロット割当部４０５は、ＱｏＳテーブルＴ４に記憶されるＱｏＳが更新されると、端末ＩＤ（ＵＥ１０ａ及びＵＥ１０ｂ）をＱｏＳの高い順に、順番を決定する。そして、決定した順番が、決定前の順番と異なるか否かを判定する。
【０１０５】
ステップＳ２０２３において、タイムスロット割当部４０５は、決定前の順番と異なると判定した場合、当該順番に基づいて、最もＱｏＳの高い端末ＩＤから順に、上りタイムスロットから下りタイムスロットまでの間隔が短くなるように、上り下りタイムスロットを割り当てる。
【０１０６】
（作用・効果）
本実施形態によれば、通信優先度（ＱｏＳ）が高い端末ほど、上りタイムスロットから下りタイムスロットまでの間隔が短くなるように、上り下りのタイムスロットを割り当てる。つまり、通信優先度（ＱｏＳ）が高い端末に対しては高速移動に対応可能な上り下りのタイムスロット間隔を割り当てておくことで、高品質な通信を提供する必要がある端末において通信の品質が低下することを低減することができる。
【０１０７】
［その他の実施形態］
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１０８】
上述した実施形態では、本発明に係る基地局１００を例に挙げて説明したが、図４に示す記憶部４０２と、移動度取得部４０３と、通信品質取得部４０４と、タイムスロット割当部４０５等の各機能は、基地局１００以外の装置に配置してもよい。例えば、これらの機能を、無線通信システムにおいて、基地局１００の上位に存在するサーバに配置することも可能である。つまり、本発明は、ＴＤＭＡ／ＴＤＤ方式により通信を行う様々な装置で適用することが可能である。
【０１０９】
上述した第１実施形態では、移動度に応じたタイムスロット割り当てについて説明し、第２実施形態では、ＱｏＳに応じたタイムスロット割り当てについて説明した。しかし、移動度及びＱｏＳを用いずに、通信品質（例えばＦＥＲ）に応じたタイムスロット割り当てを行ってもよい。すなわち、通信品質が低い端末ほど、上り下りタイムスロット間隔を短く設定する。通信品質の低い端末は高速移動中である可能性があるため、通信品質の低い端末に対して、高速移動に対応可能な上り下りのタイムスロット間隔を割り当てることで、通信品質が低下することを低減することができる。
【０１１０】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１１１】
【図１】本発明の第１実施形態に係る基地局と端末とを示す全体概略図である。
【図２】本発明の第１実施形態に係る基地局の構成図である。
【図３】本発明の第１実施形態に係る基地局の信号制御部における論理ブロック構成図である。
【図４】本発明の第１実施形態に係る基地局の制御部における論理ブロック構成図である。
【図５】本発明の第１実施形態に係る基地局に記憶される移動度テーブルを示す図である。
【図６】本発明の第１実施形態に係る基地局に記憶される割当テーブルを示す図である。
【図７】本発明の第１実施形態に係る基地局に記憶される重み係数テーブルを示す図である。
【図８】本発明の第１実施形態に係る通信方法のシーケンス図である。
【図９】本発明の第１実施形態に係る通信方法のフローチャート図である。
【図１０】本第１実施形態に係る基地局と端末との通信におけるタイムスロットを割り当てたフレーム構成を示す図である。
【図１１】本発明の第２実施形態に係る制御部の論理ブロック構成図である。
【図１２】本発明の第２実施形態に係る基地局に記憶されるＱｏＳテーブルを示す図である。
【図１３】本発明の第２実施形態に係る通信方法のシーケンス図である。
【図１４】本発明の第２実施形態に係る通信方法のフローチャート図である。
【図１５】従来技術に係る基地局と端末との通信におけるタイムスロットを割り当てたフレーム構成を示す図である。
【符号の説明】
【０１１２】
１００…基地局、Δｔ…間隔、Δｔ１及びΔｔ２…間隔、ρｗ…移動度、Ａ及びＢ…地点、  Ｓ１０１乃至Ｓ１０７…ステップ、Ｓ１０６１乃至Ｓ１０６３…ステップ、Ｔ１…移動度テーブル、Ｔ２…割当テーブル、Ｔ３…重み係数テーブル、ｍ…サンプル数、ｗ…重み係数、ｗ１乃至ｗ２…重み係数、ρｗ１乃至ρｗ２…移動度、１０ａ乃至１０ｂ…端末、ＣＨ１乃至ＣＨ４…通信チャネル、２００…無線処理部、２０１…第１無線部、２０２…第２無線部、２０３…第３無線部、２０４…第４無線部、３００…信号処理部、３０１…第１信号制御部、３０２…第２信号制御部、３０３…第３信号制御部、３０４…第４信号制御部、４００Ａ，４００Ｂ…制御部、４０１…ＴＤＭＡ分離処理部、４０２…記憶部、４０３…移動度取得部、４０４…通信品質取得部、４０５…タイムスロット割当部、４０６…ＴＤＭＡ多重処理部、４０７…ＱｏＳ取得部、３１０１…重み係数算出部、３２０１〜３２０４…乗算部、３３０１…合成部、３４０１…分離部、３５０１〜３５０４…乗算部
【図１】
2008011496.tif 000004
【図２】
2008011496.tif 000005
【図３】
2008011496.tif 000006
【図４】
2008011496.tif 000007
【図５】
2008011496.tif 000008
【図６】
2008011496.tif 000009
【図７】
2008011496.tif 000010
【図８】
2008011496.tif 000011
【図９】
2008011496.tif 000012
【図１０】
2008011496.tif 000013
【図１１】
2008011496.tif 000014
【図１２】
2008011496.tif 000015
【図１３】
2008011496.tif 000016
【図１４】
2008011496.tif 000017
【図１５】
2008011496.tif 000018